(57)【要約】【課題】排気装置の排気ボックス内における汚染空気の乱流による騒音の発生を抑制するように改良された送風機ユニットを備えているレンジフードを提供する。【解決手段】フード部１の上に設置される送風機ユニット２は、フード部１の連絡口７に連通させるように天板１ａの上に取り付けられる排気ボックス２ａと、この排気ボックス２ａ内に内設される排気装置２ｂとを備えている。そして、フード部１内に備えられているグリスフィルタ９を通過して連絡口７から排気ボックス２ａ内に流入されてくる汚染空気Ｇの流れを、排気装置２ｂのファンケーシング１６の吸込み口２２側に向けるように導くための指向性部材２３を、排気ボックス２ａ内に備えている。指向性部材２３は、吸込み口７の開口上部縁に沿うように湾曲されてフード部１の天板１ａ方向に向けた正面視で略逆向きＵ字形状に形成されている。【選択図】図１
2008180456.tif 000002
【特許請求の範囲】
【請求項１】
下向きに開口するフード部と、このフード部の天板の上に設置される送風機ユニットと、を備え、
前記フード部は、前記送風機ユニットに連通させるための連絡口を前記天板に備え、この連絡口の下側にはグリスフィルタを備え、
前記送風機ユニットは、前記連絡口に前側前半部を連通させるように、前記天板の上に取り付けられる縦断面視で略四角形状を呈している排気ボックスと、この排気ボックス内における前記連絡口に連通する前側前半部を除く後側後半部に位置して縦置きに内設される排気装置と、を備えて、
前記グリスフィルタを蛇行するように通過して、前記連絡口から前記排気ボックス内における前記排気装置の前側に確保されている流入空間に吸い込まれるように流入されてくる汚染空気を、前記排気装置のファンケーシングに開口されている前向きの吸込み口から前記ファンケーシングに接続されている排気ダクトを通して屋外に排気するように構成されているレンジフードであって、
前記排気ボックス内における前記流入空間に、前記連絡口から吸い込まれるように流入されてくる前記汚染空気の流れを、前記ファンケーシングの前記吸込み口の開口方向に向けて導くための指向性部材を備えていることを特徴とするレンジフード。
【請求項２】
前記指向性部材が、前記流入空間において、前記吸込み口が開口されている前記ファンケーシングの前面板から前記排気ボックスの前面板に至る幅を有し、かつ、前記吸込み口の開口上縁に沿って前記フード部の天板の方向に向けて延びるように、正面視で略逆向きＵ字形状に形成されていることを特徴とする請求項１に記載のレンジフード。
【請求項３】
前記指向性部材が、前記流入空間において、前記排気ボックスの両側面板間に至る幅を有し、かつ、前記吸込み口の開口上縁に位置する前記ファンケーシングの前面板側から前記排気ボックスの前面板に至るように、下向きに湾曲された側面視で略円弧形状に形成されていることを特徴とする請求項１に記載のレンジフード。
【請求項４】
前記指向性部材が、前記排気ボックスの前面開口を開閉可能に塞ぐように、該前面開口に取り付けられる前面蓋に取り付け支持されていることを特徴とする請求項１から請求項３のいずれか1項に記載のレンジフード。
【請求項５】
前記グリスフィルタの下側に、前記フード部の下向き開口縁との間に吸込み隙間を確保するように、整流板が備えられていることを特徴とする請求項１から請求項４いずれか１項に記載のレンジフード。
【発明の詳細な説明】
【技術分野】
【０００１】
本発明は、ガスコンロ、電気コンロ、或いは電磁誘導加熱式クッキングヒータ（いわゆるＩＨクッキングヒータ）などの加熱調理器具の上方に設置されて、調理中に発生する廃ガス、油煙、湯煙（鍋などからの湯気）などの汚染空気（汚染物質）を吸引捕獲して屋外に排気するためのレンジフードに係り、特に、下向きに開口する薄形のフード部の上に取り付けられる送風機ユニットの改良に関する。
【背景技術】
【０００２】
レンジフードには、汚染空気の深い捕獲空間を有するブーツ型のフード部を備えているもの、浅い捕獲空間を有する平型（薄型）のフードを備えているもの、そして排気装置を、フード部内に設置しているもの、フード部の上に設置しているものなど、様々な形態が知られている。これの形態は、システムキッチンにマッチするデザイン性などを考慮された上で設計されているものとされている。
【０００３】
平型のフード部を備えているレンジフードは、下向きに開口する浅い捕獲空間を有するフード部の天板の上に送風機ユニットを設置しているものが知られており、最近では調理中に発生する汚染空気の捕獲に最も影響を及ぼすフード部を非常に薄型にしたスリムタイプのレンジフードが開発されている（例えば、特許文献１および特許文献２参照）。
このスリムタイプのレンジフードは、欧米スタイルを取り入れた様々なキッチンレイアウトのシステムキッチンが提案されてきている近年において、欧米スタイルのシステムキッチンにマッチするデザイン性の設計上の制約を受けずに、幅広く、フード部として斬新なデザインを実施することができるなどから、注目されている。
【０００４】
そして、このようなスリムタイプのレンジフードは、特許文献１の図１において示されているように、平型のフード部の上に、送風機ユニットを設置している。
送風機ユニットは、フード部の天板の上に取り付けられる排気ボックスを備え、この排気ボックス内に排気装置を縦置きに内設している。
排気装置は、排気ボックス内に縦置き内設させるファンケーシング内に、ファンモータに軸支させた排気ファン（遠心ファン、多翼ファン）を同軸上に収容させた構成としている。
【０００５】
ところで、フード部１の連絡口７に位置して天板１ａの上に設置される送風機ユニット２の排気装置２ｂは、図１０に示すように、排気ボックス２ａ内におけるキッチン壁Ｋ側に位置する後半部側に位置して、なおかつ、ファンケーシング１６の吸込み口２２をフード部１の前側（調理者側）に向けた状態で排気ボックス２ａ内に縦置き内設されている。
これにより、排気装置１６（吸込み口２２）の前側における排気ボックス２ａの前半部側には、フード部１の連絡口７を介してフード部１内と連通する汚染空気Ｇの流入空間２０（特許文献１では上流側空気流路１９と称している）が確保され、フード部１に備えられているグリスフィルタ９を通過してくる汚染空気Ｇが、流入空間２０に一旦流入された後に、ファンケーシング１６の吸込み口２２からファンケーシング１６内に吸い込まれて屋外に排気されるようになっている。
【０００６】
そして、連絡口の下側に位置してフード部１内に備えられるグリスフィルタは、特許文献２に開示されているグラスフィルタに変わり、最近では、特許文献１において開示されている金属製のフィルタが主流になってきている。
特に、図４に示すように、金属薄板９ａに、数ミリのピッチ間隔で、排気装置２ｂの吸込み方向Ｚに対して直交させた一方向に多数列のスリット１１を設ける。そして、このスリット１１の相互で区画された平面部分である空気衝突片部１２を、フード部１の下向き開口によりも一回りほど小さく形成されている金属薄板９ａの一側面方向に向けて、なおかつ、フード部１の前側（調理者側）に向けて屈折傾斜するように切り起こすことによって、平面部分を残すことなくフード部１の前側方向に向けて上向きに傾斜させた通気口１３を開口することにより形成されるスロットフィルタが主流になってきている。
【０００７】
このように、スロットフィルタは、フード部１の前側方向（調理者側）に向けて上向きに傾斜するように、汚染空気Ｇが通過するための通気口１３を開口させた構造（形態）としているために、図４の（ｂ）に示すように、汚染空気Ｇが通過するときに、通気口１３をストレートに通過せずに屈折する空気衝突片部１２で蛇行されるように案内される。
これにより、比較的に少ない通気抵抗で、汚染空気Ｇ中に含まれている油脂分などの高い捕獲効率を得ることができる。そのために、油脂分の捕集効率はパンチングメタルよりも高い。
【０００８】
また、このように形成されているスロットフィルタは、金網やラス網、或いはパンチングメタルなどのフィルタに比べて、フィルタとして要求される通気抵抗と油脂分の捕集効率などの吸着機能を長期にわたり安定よく継続させることができる。
しかも、スロットフィルタは、金属薄板に通気口を切り起こしによって形成していることから、ラス網や金網からなるフィルタと比較して、洗浄（清掃）などのメンテナンス性に優れているなどの特徴を有している。
【０００９】
なお、グリスフィルタとしての油脂分の捕集性の高いものとしては、特許文献２において開示されているような化学繊維などを用いて形成されているグラスフィルタが存在しているが、このグラスフィルタは可燃性であるためにレンジフード用として、特に、ガスコンロや電気コンロを加熱調理器具として使用している場合において使用不可能なものである。
【００１０】
また、スリムタイプのレンジフードでは、特許文献２の図１に示されているように、
グラスフィルタの下側におけるフード部（フード）の下向き開口縁に沿わせて整流板を備えている。
【００１１】
この整流板は、特許文献２の明細書段落番号００１９中に記載されているように、汚染空気の排気効率を向上させるためのものである。
つまり、図１０に示すように、整流板１０を備えることによって、この整流板１０とフード部１の下向き開口縁との間に、汚染空気Ｇをフード部１内に勢い良く吸い込む吸込み力を発生させるための吸込み隙間Ｓを確保するようにしている。
これにより、加熱調理機器や調理鍋などからフード部に向かって上昇してくる汚染空気が、フード部の下向き開口縁に沿って開口する吸込み隙間からフード部内に勢い良く吸い込み流入されることで、汚染空気のフード部の外への放散を防ぎ、汚染空気の捕獲（捕捉）効率を向上させる。
【特許文献１】特開２００５−１０６４２６号（段落番号００３０、００３３、および図１参照）
【特許文献２】特開２００５−２８２８７２号（段落番号００１４〜００１９、および図１参照）
【発明の開示】
【発明が解決しようとする課題】
【００１２】
ところで、フード部内に吸い込まれるように流入される汚染空気が、グリスフィルタを通過するときに、図４および図１０に示すように、蛇行するように流れが大きく曲がりながら、フード部１の連絡口７から排気ボックス２ａの前面板側（ファンケーシング１６の吸込み口２２の反対方向）に向かうように、排気ボックス２ａ内に流入される傾向が見られる。
これにより、排気ボックス２ａ内に吸い込まれるように流入されてくる汚染空気Ｇの一部は、図１０に示すように、吸込み口２２からファンケーシング１６内に吸い込まれるように流れの向きを変えることなく、そのまま吸込み口２２を通過して排気ボックス２ａの前面板に沿って排気ボックス２ａの上面板１９に向けて上昇する。その後に、吸込み口２２の方向に向きを変えて流れて、吸込み口２２からファンケーシング１６内に流入される。
このとき、排気ボックス２ａの上面板１９に向けて上昇した後に、吸込み口２２側に向けて降下する汚染空気Ｇの流れと、連絡口７から排気ボックス２ａ内に流入されてくる汚染空気Ｇの流れとが干渉し合って排気ボックス２ａ内に大きな乱流（干渉流）を引き起こす。この乱流が大きな空気抵抗となって排気ボックスの前面板や上面板などに接触し、このときの接触音がレンジフードの全体に伝播される騒音や脈動的な異音となって台所側に発生するといった問題があり、その改善が望まれていた。
【００１３】
そこで、本発明は、前記課題を解消するために創案されたものであり、グリスフィルタを蛇行するように通過してフード部の連絡口から送風機ユニットの排気ボックス内に流入されてくる汚染空気を、排気ボックス内に縦置きに内設されている排気装置の吸込み口から排気ダクトを通して屋外に排気するように構成されているレンジフードであって、排気ボックス内における汚染空気の乱流の発生を抑制することができる送風機ユニットを備えたレンジフードを提供することにある。
【課題を解決するための手段】
【００１４】
前記課題を解決するために本発明は、下向きに開口するフード部と、このフード部の天板の上に設置される送風機ユニットと、を備え、前記フード部は、前記送風機ユニットに連通させるための連絡口を前記天板に備え、この連絡口の下側にはグリスフィルタを備え、前記送風機ユニットは、前記連絡口に前側前半部を連通させるように、前記天板の上に取り付けられる縦断面視で略四角形状を呈している排気ボックスと、この排気ボックス内における前記連絡口に連通する前側前半部を除く後側後半部に位置して縦置きに内設される排気装置と、を備えて、前記グリスフィルタを蛇行するように通過して、前記連絡口から前記排気ボックス内における前記排気装置の流入空間に吸い込まれるように流入されてくる汚染空気を、前記排気装置のファンケーシングに開口されている前向きの吸込み口から前記ファンケーシングに接続されている排気ダクトを通して屋外に排気するように構成されているレンジフードであって、
前記排気ボックス内における前記排気装置の流入空間に、前記連絡口から吸い込まれるように流入されてくる前記汚染空気の流れを、前記ファンケーシングの前記吸込み口の開口方向に向けて導くための指向性部材を備えていることを特徴とするレンジフードにある。
ここで、前記グリスフィルタの下側に、前記フード部の下向き開口縁との間に、汚染空気をフード部内に勢い良く吸い込むための吸込み隙間を確保するように、整流板を備えることが好適なものとなる。
【００１５】
このような構成によれば、グリスフィルタを蛇行するように通過して、フード部の連絡口から送風機ユニットの排気ボックスの流入空間に向けて吸い込まれるように流入されてくる（流れ込んでくる）汚染空気の流れは、指向性部材によって速やかにファンケーシングの吸込み口の開口方向へと導かれ、該吸込み口からファンケーシング内に流入される。
これにより、グリスフィルタを蛇行するように通過して、連絡口から排気ボックスの流入空間に継続的に流入されてくる汚染空気は、流れの干渉などによって乱れる乱流を引き起こすことなく、吸込み口からファンケーシング内へと速やかに流入される。
【００１６】
また、本発明では、前記指向性部材が、前記排気装置の吸込み口が開口されている前記ファンケーシングの前面板から前記排気ボックスの前面板に至る幅を有し、かつ、前記吸込み口の開口上部縁に沿うように湾曲されて前記フード部の天板の方向に向けて延びるように、正面視で略逆向きＵ字形状に形成されていることを特徴とするレンジフードにある。
【００１７】
このような構成によれば、前記したように、排気ボックスの流入空間における前面板の方向に向けて流入されてくる汚染空気は、吸込み口の開口上縁に沿って正面視で略逆向きＵ字形状に形成されている指向性部材によって、ファンケーシングの吸込み口の開口方向へと速やかに導かれ、吸込み口からファンケーシング内に流入されていく。
【００１８】
そして、本発明では、前記指向性部材が、前記流入空間において、前記排気ボックスの両側面板間に至る幅を有し、かつ、前記吸込み口の開口上縁に位置する前記ファンケーシングの前面板から前記排気ボックスの前面板に至るように、下向きに湾曲された側面視で略円弧形状に形成されていることを特徴とするレンジフードにある。
【００１９】
このような構成によれば、前記したように、排気ボックスの流入空間における前面板の方向に向けて流入されてくる汚染空気は、吸込み口の開口上縁に位置するファンケーシングの前面板から排気ボックスの前面板の方向に向けて下向きに湾曲されている側面視で略円弧形状の指向性部材によって、ファンケーシングの吸込み口の開口方向へ速やかに導かれて、吸込み口からファンケーシング内に流入される。
【００２０】
さらに、本発明では、正面視で略逆向きＵ字形状または側面視で略円弧形状に形成されている前記指向性部材が、前記排気ボックスの前面開口を開閉可能に塞ぐように、該前面開口に取り付けられる前面蓋に取り付け支持されていることを特徴とするレンジフードにある。
【００２１】
このような構成によれば、指向性部材を、送風機ユニットの排気ボックス内から取り外して清掃するなどのメンテナンスを行うときに、排気ボックスの前面開口を開閉可能に塞ぐ前面蓋を、排気ボックスから取り外すことによって、指向性部材を排気ボックス内から取り外すことができる。
【発明の効果】
【００２２】
本発明のレンジフードは、以上のように構成されていることで、グリスフィルタを蛇行するように通過して、フード部の連絡口から送風機ユニットの排気ボックスの流入空間に吸い込まれるように流入されてくる汚染空気の流れは、正面視で略逆向きＵ字形状または側面視で略円弧形状になどの所望な形状に形成されている指向性部材によってファンケーシングの吸込み口の開口方向へと導かれ、吸込み口からファンケーシング内に速やかに流入されていく。
これにより、排気ボックス内における汚染空気の流れの干渉などによる乱流の発生を抑制することができる。よって、乱流に伴う騒音や脈動的な異音の程度を、調理者が気にならない騒音値ｄＢ（Ａ）まで下げることが期待できる。
【００２３】
また、本発明のレンジフードによれば、指向性部材が、排気ボックスの前面開口を開閉可能に塞ぐように、前面開口に取り付けられる前面蓋に取り付け支持されていることで、例えば、指向性部材を洗浄するなどのときには、前面蓋を、排気ボックスから取り外すことによって、指向性部材を排気ボックス内から取り外すことができる。
これにより、メンテナンスのときの指向性部材の脱着性においても簡便であるといった効果をも期待することができる。
【発明を実施するための最良の形態】
【００２４】
以下、本発明の実施形態について、適宜図面を参照しながら詳細に説明する。
図１は、第1の実施形態に係る指向性部材を備えた本発明のレンジフードを示す縦断側面図であり、図２は、縦断面図であり、図３は、前面蓋とともに第１の実施形態に係る指向性部材を排気ボックスから取り外した状態で、フード部を斜め上から見たときの斜視図である。
レンジフードには、壁取り付けタイプと、天井取り付けタイプ（アイランド型）とがあるが、本実施形態では、壁取り付けタイプのレンジフードを一例に挙げて説明する。また、本実施例では、調理を行う調理者側（台所側）から見たレンジフードの方向において、矢印Ｆがフード部の前側を、矢印Ｒがフード部の後側を、矢印Ｘがフード部の左側、矢印Ｙがフード部の右側を示している（図３参照）。
【００２５】
≪レンジフードの構成≫
レンジフードＡは、図示省略の加熱調理器具の略真上において設置され、調理中に発生する油煙、水蒸気、熱気、廃ガスなどの汚染空気Ｇを吸引捕獲し、排気ダクト３を通して屋外に排気するように構成されている。
このレンジフードＡは、図１および図３に示すように、平型（薄型）のフード部１の上に送風機ユニット２を取り付けて構成されている。
また、レンジフードＡは、図１に示すように、送風機ユニット２および排気ダクト３を目隠すように、フード部１の天板１ａから台所の天井Ｋ−２に至るように形成されている幕板４を、適宜取り外すことができるように備えている。
【００２６】
≪フード部の構成≫
フード部１は、図１に示すように、下向きに開口する扁平箱型に形成されている。そして、
フード部１は、図１および図３に示すように、調理者側である前側Ｆに位置する前面部１ｂに操作スイッチ部５を備えている。
この操作スイッチ部５は、送風機ユニット２の後記する排気装置２ｂの作動オン・オフ切り替え、そして、フード部１の下向き開口の後側Ｒ（キッチン壁面Ｋ−１側）に備えられている電球などの照明６の点灯オン・オフ切り替えなどを行うためのタッチまたはプッシュタイプのスイッチ類（図示省略）を備えて構成されている。
【００２７】
また、フード部１は、図１および図３に示すように、天板１ａに連絡口７を備えている。
この連絡口７は、送風機ユニット２の後記する排気ボックス２ａ内（後記の流入空間２０）とフード部１とを連通させるためのものであり、天板１ａのほぼ中央部位に所定の開口面積にて開設されている。
そして、フード部１は、図１に示すように、連絡口７の下側に、下向き開口側と連絡口７側とを仕切るようにフードカバー８を備え、このフードカバー８にグリスフィルタ９を掛脱取り外し可能に支持させて備えている。これにより、汚染空気Ｇがグリスフィルタ９を通過するときに、汚染空気Ｇ中に含まれている油脂分などが分離されて捕獲されるようにしている（後記の図４参照）。
【００２８】
さらに、フード部１は、図１に示すように、グリスフィルタ９の下側には、下向き開口縁との間に吸込み隙間Ｓを確保するように、整流板１０が備えられている。これにより、加熱調理器具や調理鍋などから立ち昇る汚染空気Ｇが整流板３に沿って吸込み隙間Ｓからフード部１内に吸気されるようにしている。
【００２９】
≪グリスフィルタの構成≫
図４は、グリスフィルタと送風機ユニットの排気装置との配置関係の一例を示す斜視図および拡大断面図である。
グリスフィルタ９は、耐蝕性などに優れているアルミニウム板あるいはステンレス鋼板などからなる金属薄板によって、少なくともフード部１の連絡口７の開口面積よりも大きめの所定の面積を有する平面視で略矩形形状に形成されている。
そして、このグリスフィルタ９は、技術分野の欄において説明したように形成されているスロットフィルタである。
つまり、グリスフィルタ９は、図４に示すように、金属薄板９ａに、多数列のスリット１１を数ミリのピッチ間隔で、排気装置２ｂの吸込み方向Ｚに対して直交させた一方向に多数列のスリット１１を設ける。そして、このスリット１１の相互で区画された平面部分である空気衝突片部１２を、フード部１の下向き開口によりも一回りほど小さく形成されている金属薄板９ａの一側面の方向に向けて、なおかつ、フード部１の前側Ｆ（調理者側）に向けて屈折傾斜するように切り起こすことによって、平面部分を残すことなくフード部１の前側方向に向けて上向きに傾斜させた通気口１３を開口している。
【００３０】
≪整流板の構成≫
整流板１０は、フード部１の下向き開口縁の開口形状とほぼ同じ形状で、該開口面積よりも一回りほど小さく形成されている。そして、この整流板１０は、図示省略の前後の支持部材を介してフードカバー８に、後側を支点に回動可能で、かつ、脱着可能に支持されている。
これにより、グリスフィルタ９を洗浄するときに、整流板１０をフード部１の後側Ｒ（キッチン壁面Ｋ−１側）に向けて下向きに回動させる。または、取り外すことができるようにしている。
【００３１】
≪送風機ユニットの構成≫
送風機ユニット２は、技術分野の欄において説明したように構成されている。
つまり、送風機ユニット２は、図１に示すように、排気ボックス２ａと、この排気ボックス２ａ内におけるフード部１の連絡口７に連通する前半部側を除く後半部側に位置して縦置きに内設される排気装置２ｂとを備えて構成されている。
【００３２】
≪排気ボックスの構成≫
排気ボックス２ａは、図１および図３に示すように、フード部１の天板１ａに開口されている連絡口７に、前半部を連通させるように、天板１ａの上にネジ止めなどによって取り付けられる縦断面視で略四角形状に形成されている。
そして、この排気ボックス２ａは、図３に示すように、前面を開口し、この前面開口１４を、前面蓋１５にて開閉可能に閉じる構成としている。これにより、幕板４を取り外した後に、前面蓋１５を排気ボックス２ａから取り外すことによって、後記する排気ファンを、ファンケーシングから取り出すことができるようにしている。つまり、排気ファンを洗浄するときや、ファンケーシングの内部を洗浄するときなどに、排気ボックス２ａの前面開口１４を開口し得るようにしている。
【００３３】
≪排気装置の構成≫
排気装置２ｂは、図１に示すように、排気ダクト３が接続される接続筒を円周の上面部位に備えているファンケーシング１６に、ファンモータ１８に軸支させて排気ファン（遠心ファン、多翼ファン）１７を同軸上に収容させた構成としている。
【００３４】
≪ファンケーシングの構成≫
ファンケーシング１６は、ボリュート形状の胴部１６ａの前後に前側板１６ｂと後側板１６ｃを溶接などによって固着することで形成されている。そして、このファンケーシング１６は、排気ダクト３に接続される上部開口を、排気ボックス２ａの上面板１９に、図示省略の掛止爪と掛止孔との関係などによって掛脱可能に、または、ネジ止めなどによって取り付けられて、排気ボックス２ａ内におけるフード部１の連絡口７に連通する前半部側に確保される排気空気Ｇの流入空間２０を除く後半部側に位置して縦置きに内設させるように形成されている（図１参照）。
これにより、ファンケーシング１６は、ベルマウス２１がビス止めなどによって着脱可能に取り付けられることで形成される吸込み口２２を、流入空間２０に向けて水平に開口させた正面向き状態で排気ボックス２ａ内に収容される（図３参照）。
【００３５】
そして、本実施形態のレンジフードＡは、送風機ユニット２の排気ボックス２ａのフード部１の連絡口７を介してフード部１内と連通する汚染空気Ｇの流入空間２０に指向性部材２３を備えている。
【００３６】
≪第１の実施形態の指向性部材の構成≫
つぎに、第１の実施形態に係る指向性部材を、図１から図３に用いて説明する。
指向性部材２３は、グリスフィルタ９を通過した後に、連絡口７から排気ボックス２ａの流入空間２０に吸い込まれるように流入されてくる汚染空気Ｇの流れを、ファンケーシング１６の吸込み口２２の開口方向に向けて導くためのものである。
【００３７】
この第１の実施形態に係る指向性部材２３は、図１および図２に示すように、吸込み口２２が開口されているファンケーシング１６の前面板１６ａから排気ボックス２ａの前面蓋１５の内面に至る所定の板幅を有する金属製の帯板状を用いて、吸込み口２２の開口上部縁（ベルマウス２１のリング外周上部縁）に沿わせてフード部１の天板２ａの方向に、所謂下向き方向に向けて延びるように、正面視で略逆向きＵ字形状に折り曲げ形成されている。
【００３８】
そして、本実施形態では、このように正面視で略逆向きＵ字形状に形成されている指向性部材２３を、図１および図３に示すように、送風機ユニット２を構成する排気ボックス２ａの前面蓋１５に溶接などによる固着や、ビス止めなどによって支持させている。
これにより、幕板４を取り外した後に、排気ボックス２ａの前面開口１４から前面蓋１５を取り外すことによって、指向性部材２３を排気ボックス２ａの流入空間２０内から取り出すことができるようにしている（図３参照）。
【００３９】
以上のように、正面視で略逆向きＵ字形状に形成されている指向性部材２３を、送風機ユニット２の排気ボックス２ａ内に備えている本実施形態に係るレンジフードＡによれば、図１に示すように、グリスフィルタ９を蛇行するように通過して、フード部１の連絡口７から排気ボックス２ａの流入空間２０に向けて吸い込まれるように流入されてくる汚染空気Ｇの流れは、指向性部材２３の略逆向きＵ字形状を呈している内面に沿ってファンケーシング１６の吸込み口２２の開口方向へと導かれて、該吸込み口２２からファンケーシング１６内に速やかに流入される（図１および図２参照）。
これにより、フード部１の連絡口７から排気ボックス２ａの流入空間２０に流入されてくる汚染空気Ｇは、流入空間２０内における流れ方向の変化による乱流などを引き起こすことなく、吸込み口２２からファンケーシング１６内へと速やかに流入され、排気ダクト３を通って屋外へ排気される。
【００４０】
≪第２の実施形態の指向性部材の構成≫
つぎに、第２の実施形態に係る指向性部材を、図５および図６に用いて説明する。
図５は、第２の実施形態に係る指向性部材を備えた本発明のレンジフードを示す縦断側面図であり、図６は、前面蓋とともに第２の実施形態に係る指向性部材を排気ボックスから取り外した状態で、フード部を斜め上から見たときの斜視図である。
この第２の実施形態に係る指向性部材２３−１は、図５および図６に示すように、送風機ユニット２を構成する排気ボックス２ａの両側面板２４間に至る幅を有し、かつ、吸込み口２２の開口上縁（ベルマウス２１のリング外周上部縁）に位置するファンケーシング１６の前面板１６ａから排気ボックス２ａの前面蓋１５の内面に至るように、下向きに湾曲された側面視で略円弧形状に形成されている。
【００４１】
そして、本実施形態では、このように側面視で略円弧形状に形成されている指向性部材２３−１を、排気ボックス２ａの前面蓋１５に溶接などによる固着や、ビス止めなどによって支持させている。
これにより、幕板３を取り外した後に、排気ボックス２ａの前面開口１４から前面蓋１５を取り外すことによって、指向性部材２３−１を排気ボックス２ａの流入空間２０内から取り出すことができるようにしている（図６参照）。
【００４２】
以上のように、側面視で略円弧形状に形成されている指向性部材２３−１を、送風機ユニット２の排気ボックス２ａ内に備えている本実施形態に係るレンジフードＡによれば、図５に示すように、グリスフィルタ９を蛇行するように通過して、フード部１の連絡口７から排気ボックス２ａの流入空間２０に向けて吸い込まれるように流入されてくる汚染空気Ｇの流れは、指向性部材２３−１の略円弧内面に沿ってファンケーシング１６の吸込み口２２の方向へと導かれる（図５参照）。
これにより、排気ボックス２ａの流入空間２０に継続的に流入されてくる汚染空気Ｇが、流れの干渉などによって乱れる乱流を引き起こすことなく、吸込み口２２からファンケーシング１６内へと速やかに流入され、排気ダクト３を通って屋外へ排気される。
【００４３】
図７は、本実施例における騒音試験によって得られた５０Ｈｚ運転時におけるパワースペクトルを示すグラフであり、図８は、本実施例における騒音試験によって得られた６０Ｈｚ運転時におけるパワースペクトルを示すグラフである。
【００４４】
実施例１
次に、略逆向きＵ字形状に形成されている前記した指向性部材２３を、送風機ユニット２を構成する排気装置２ｂのファンケーシング１６の吸込み口２２に対し、図１に示すように、排気ボックス２ａ内に内設させたときの、汚染空気Ｇの排気ボックス２ａ内への流入に伴う騒音値ｄＢ（Ａ）の低減効果を調べるために、以下に示す試験条件に基づいて騒音試験を行い。その結果を表1から表３に示す。
試験条件
ａ．電圧                          ：１００Ｖ ５０Ｈｚ／６０Ｈｚ
ｂ．排気ファンの羽形状            ：遠心ファン（シロッコファン）
ｃ．排気                          ：天井方向
ｄ．温度（室温）                  ：２４．０℃
ｅ．気圧（室圧）                  ：１００７．２ｈＰａ（７５５．５ｍｍＨｇ）
ｆ．空気密度                      ：１．１７４ｋｇ／ｍ3
なお、この騒音試験は、ＪＩＳＣ９６０３換気扇に基づく。
【００４５】
実施例２
また、側面視で略円弧形状に形成されている前記した指向性部材２３−１を、図５に示すように、送風機ユニット２を構成する排気装置２ｂのファンケーシング１６の吸込み口２２に対し、排気ボックス２ａ内に内設させたときの、汚染空気Ｇの排気ボックス２ａ内への流入に伴う騒音値ｄＢ（Ａ）の低減効果を調べるために、実施例１と同じ試験条件に基づいて騒音試験を行い。その結果を同じく表１から表３に示す。
【００４６】
比較例１
そして、比較例１として、図９に示すレンジフードを用いて、実施例１および実施例２と同じ試験条件により試験を行った。
【００４７】
【表１】
2008180456.tif 000003
【００４８】
【表２】
2008180456.tif 000004
【００４９】
【表３】
2008180456.tif 000005
【００５０】
【表４】
2008180456.tif 000006
【００５１】
表３から明らかなように、５０Ｈｚ運転時のときおよび６０Ｈｚ運転時のとき、比較例１に比べて実施例１および実施例２が共に、低い騒音値ｄＢ（Ａ）を示していることが分かる。
【００５２】
また、この騒音試験で測定された騒音値ｄＢ（Ａ）は、表１から分かるように、比較例１、実施例１および実施例２におけるそれぞれの風量（ｍ3／ｈ）にバラツキがあり、それぞれ最大風量（ｍ3／ｈ）が異なるために、正確な測定が困難である。
そこで、風量（ｍ3／ｈ）や静圧（Ｐａ）、回転速度（ｒｐｍ）に係わらずに、送風機ユニット、特に排気装置によってほぼ一定の値を示す非騒音レベルを用いて評価した。この非騒音レベルを表４に示す。
表４から明らかなように、比較例１よりも実施例１および実施例２が共に、騒音値が低減していることが分かる。特に、実施例２の略円弧形状に形成されている指向性部材を取り付けた場合の方が低減効果は高いことが分かる。
【００５３】
また、図７に示す５０Ｈｚ運転時のときと、図８に示す６０Ｈｚ運転時のときのパワースペクトルから明らかなように、比較例１に比べて実施例１および実施例２が共に、ほぼ全域において騒音値ｄＢ（Ａ）が低減されていることが分かる。
【００５４】
したがって、騒音試験の結果から明らかなように、実施例１の指向性部材２３や実施例２の指向性部材２３−１が、送風機ユニット２の排気ボックス２ａ内に備えられている本実施形態のレンジフードＡの方が、図１０に示す比較例１の従来のレンジフードに比べて騒音値ｄＢ（Ａ）が低くなる。
これは、フード部１の前側Ｆに向けて上向きに傾斜するグリスフィルタ９の無数の通気口１３を蛇行するように通過した後に、フード部１の連絡口７から送風機ユニット２の排気ボックス２ａ内に流入されてくる汚染空気Ｇが、図１０に示す比較例1のレンジフードのように、排気ボックス２ａの上面板１９に向けて上昇せずに、実施例１の指向性部材２３や実施例２の指向性部材２３−１によって、ファンケーシング１６の吸込み口２２（ベルマウス２１）方向へ向けて速やかに案内される。
これにより、図１０に示す比較例1のレンジフードのように、排気ボックス２ａ内に乱流が起こらない。特に、図５に示すように、排気ボックス２ａの前面開口１４を塞ぐ前面蓋１５の内側からファンケーシング１６の吸込み口２２の開口上縁に向けて湾曲された側面視で略円弧形状に形成されている実施例２の指向性部材２３ー1においては、排気ボックス２ａ内で発生する汚染空気Ｇの空気抵抗に伴う騒音値ｄＢ（Ａ）を効果的に低減されることができる。
【００５５】
また、本実施形態のレンジフードＡでは、表1に示すように、比較例１に比べて実施例１および実施例２が共に、高い風量（ｍ3／ｈ）を得られていることが分かる。
これは、フード部１の連絡口７から排気ボックス２ａの流入空間２０に流入されてくる汚染空気Ｇが、流通空間２０に内設されている実施例１の指向性部材２３や実施例２の指向性部材２３−１によって、ファンケーシング１６の吸込み口２２方向へと向けて速やかに導かれることで、流入空間２０における汚染空気Ｇの流入抵抗（空気抵抗）が低減されるからであると考えられる。
これにより、本実施形態のレンジフードＡは、フード部１によって吸引捕獲されてくる汚染空気Ｇの屋外への排気能力が向上するなどの効果をも期待することができるものである。
【００５６】
≪第３の実施形態の指向性部材の構成≫
つぎに、第３の実施形態に係る指向性部材を、図９に用いて説明する。
図９は、第３の実施形態に係る指向性部材を備えた本発明のレンジフードを示す縦断側面図である。
この第３の実施形態に係る指向性部材２３−２は、図９に示すように、排気ボックス２ａの前面開口１４を塞ぐ前面蓋１５の内面からファンケーシング１６の吸込み方向Ｚ（前記の図４参照）に向けて突出させた形状に形成されている。
【００５７】
なお、この指向性部材２３−２は、図示を省略しているが、排気ボックス２ａの両側面板２４の間にわたる長さを有する平面視で略横長の長方形状に形成されているものである。
また、この指向性部材２３−２は、図９に二点鎖線で示したように、吸込み口２２の方向に向けた上向き傾斜状や上向き湾曲形状に形成するなど、その突出形状は特に限定されるものではない。
【００５８】
なお、本発明の実施形態の具体的な構成は、前記した実施形態に限られるものではなく、請求項１から請求項４に記載の本発明の要旨を逸脱しない範囲で設計変更などがあっても本発明に含まれるものである。
例えば、第２の実施形態において詳述の指向性部材２３−１を、第３の実施形態における図９に二点鎖線で示すように、ファンケーシング１６の前面板１６aから離した状態とすることもできる。
また、第１の実施形態および第２の実施形態の指向性部材２３，２３−１は、その開放下端側を、フード部１の天板１ａに至るまで延長させた形状（形態）に形成することができる。
さらに、第１の実施形態から第３の実施形態の指向性部材２３，２３−１，２３−２は、送風機ユニット２の排気ボックスの両側面板２４の間にわたり、該両側面板２４に適宜取り外すことができるように着脱可能に支持させることもできる。
【図面の簡単な説明】
【００５９】
【図１】第1の実施形態に係る指向性部材を備えた本発明のレンジフードを示す縦断側面図である。
【図２】図１のＩＩ−ＩＩ線断面図である。
【図３】前面蓋とともに第１の実施形態に係る指向性部材を排気ボックスから取り外した状態で、フード部を斜め上から見たときの斜視図である。
【図４】グリスフィルタ（スロットフィルタ）の一例を示し、（ａ）は、排気装置との方向性と位置関係を示す斜視図であり、（ｂ）は、（ａ）のｂ−ｂ線拡大断面図である。
【図５】第２の実施形態に係る指向性部材を備えた本発明のレンジフードを示す縦断側面図である。
【図６】前面蓋とともに第２の実施形態に係る指向性部材を排気ボックスから取り外した状態で、フード部を斜め上から見たときの斜視図である。
【図７】本実施形態における騒音試験によって得られた５０Ｈｚ運転時におけるパワースペクトルを示すグラフである。
【図８】本実施形態における騒音試験によって得られた６０Ｈｚ運転時におけるパワースペクトルを示すグラフである。
【図９】第３の実施形態に係る指向性部材を備えた本発明のレンジフードを示す縦断側面図である。
【図１０】従来のレンジフードの一例を示す縦断側面図である。
【符号の説明】
【００６０】
Ａ      レンジフード
１      フード部
１ａ    天板
２      送風機ユニット
２ａ    排気ボックス
２ｂ    排気装置
３      排気ダクト
７      連絡口
９      グリスフィルタ（スロットフィルタ）
９ａ    金属薄板
１０    整流板
１１    スリット
１２    空気衝突片部
１３    通気口
１４    前面開口（排気ボックス）
１５    前面蓋
１６    ファンケーシング
１７    排気ファン（遠心ファン）
２０    流入空間（排気ボックス）
２２    吸込み口（ファンケーシング）
２３，２３−１，２３−２  指向性部材
Ｓ    吸込み隙間
Ｋ−１  キッチン壁面
【図１】
2008180456.tif 000007
【図２】
2008180456.tif 000008
【図３】
2008180456.tif 000009
【図４】
2008180456.tif 000010
【図５】
2008180456.tif 000011
【図６】
2008180456.tif 000012
【図７】
2008180456.tif 000013
【図８】
2008180456.tif 000014
【図９】
2008180456.tif 000015
【図１０】
2008180456.tif 000016